(57)【要約】【課題】容易に連結ができ、多様なアクセサリ玩具を作り出すことができるアクセサリキットを提供すること。【解決手段】先端に球状部を有する突起と、前記突起を嵌合可能な凹部との双方を持つ多数の組立部品を備え、それらの組立部品のうちの複数の組立部品を前記突起と前記凹部との嵌合によってフレキシブルに連結させることによりアクセサリ玩具を組立可能となっていることを特徴とする。【選択図】        図２
2004222858.tif 000002
【特許請求の範囲】
【請求項１】
先端に球状部を有する突起と、前記突起を嵌合可能な凹部との双方を持つ多数の組立部品を備え、それらの組立部品のうちの複数の組立部品を前記突起と前記凹部との嵌合によってフレキシブルに連結させることによりアクセサリ玩具を組立可能となっていることを特徴とするアクセサリキット。
【請求項２】
前記組立部品として本体が立方体の組立部品を含むことを特徴とする請求項１記載のアクセサリキット。
【請求項３】
前記組立部品として球状の組立部品を含むことを特徴とする請求項１または２記載のアクセサリキット。
【請求項４】
前記組立部品として直方体の組立部品を含むことを特徴とする請求項１から３いずれか一に記載のアクセサリキット。
【請求項５】
前記組立部品として柱状の組立部品を含むことを特徴とする請求項１から４いずれか一に記載のアクセサリキット。
【請求項６】
前記組立部品として前記凹部を複数持つ組立部品を含むことを特徴とする請求項１から５いずれか一に記載のアクセサリキット。
【請求項７】
前記組立部品として前記突起を複数持つ組立部品を含むことを特徴とする請求項１から６いずれか一に記載のアクセサリキット。
【請求項８】
前記組立部品の前記凹部に嵌合可能な突起を持つ装飾用の組立部品を含むことを特徴とする請求項１から７いずれか一に記載のアクセサリキット。
【請求項９】
前記組立部品の前記突起に嵌合可能な凹部を持つ装飾用の組立部品を含むことを特徴とする請求項１から８いずれか一に記載のアクセサリキット。
【請求項１０】
前記組立部品の前記凹部に嵌合可能な突起とヘアピンを持つ組立部品を備えることを特徴とする請求項１から９いずれか一に記載のアクセサリキット。
【発明の詳細な説明】
【０００１】
【発明の属する技術分野】
本発明は、アクセサリの組立部品を複数備えるアクセサリキットに関するものである。
【０００２】
【従来の技術】
アクセサリキットとして、例えば、ネックレス、腕輪等のアクセサリを形成するためのものがあり、このアクセサリキットは、例えば、組立部品として金属製のリングを多数備え、その金属製のリングを連結してアクセサリを作成するようになっている（非特許文献１）。
【０００３】
【非特許文献１】
平成１５年１月２０日検索、インターネット＜ＵＲＬ：／／ｗｗｗ．ｉｒｏｄｏｒｉ．ｊｐ／ｋｉｔ／ｈｏｗｔｏ／ｐａｒｔｓ．ｈｔｍｌ＞
【０００４】
【発明が解決しようとする課題】
このようなアクセサリキットでアクセサリを作成するには、連結しようとするリングにテンションをかけてリング同士を結合しなければならず、作業が繁雑である。
【０００５】
本発明は、容易に連結ができ、多様なアクセサリ玩具を作り出すことができるアクセサリキットを提供することを目的とする。
【０００６】
【課題を解決するための手段】
請求項１記載のアクセサリキットは、先端に球状部を有する突起と、前記突起を嵌合可能な凹部との双方を持つ多数の組立部品を備え、それらの組立部品のうちの複数の組立部品を前記突起と前記凹部との嵌合によってフレキシブルに連結させることによりアクセサリ玩具を組立可能となっていることを特徴とする。
【０００７】
請求項２記載のアクセサリキットは、請求項１記載のアクセサリキットにおいて、前記組立部品として本体が立方体の組立部品を含むことを特徴とする。
【０００８】
請求項３記載のアクセサリキットは、請求項１または２記載のアクセサリキットにおいて、前記組立部品として球状の組立部品を含むことを特徴とする。
【０００９】
請求項４記載のアクセサリキットは、請求項１から３いずれか一に記載のアクセサリキットにおいて、前記組立部品として直方体の組立部品を含むことを特徴とする。
【００１０】
請求項５記載のアクセサリキットは、請求項１から４いずれか一に記載のアクセサリキットにおいて、前記組立部品として柱状の組立部品を含むことを特徴とする。「柱状」とは円柱状、角柱状その他柱状のものすべてを含む。
【００１１】
請求項６記載のアクセサリキットは、請求項１から５いずれか一に記載のアクセサリキットにおいて、前記組立部品として前記凹部を複数持つ組立部品を含むことを特徴とする。
【００１２】
請求項７記載のアクセサリキットは、請求項１から６いずれか一に記載のアクセサリキットにおいて、前記組立部品として前記突起を複数持つ組立部品を含むことを特徴とする。
【００１３】
請求項８記載のアクセサリキットは、請求項１から７いずれか一に記載のアクセサリキットにおいて、前記組立部品の前記凹部に嵌合可能な突起を持つ装飾用の組立部品を含むことを特徴とする。ここに「装飾用の組立部品」の例としては、星状、錐状、錐台状、ハート状、花状、動物状、鍵状、鍵状、十字架状、羽根状、植物状、果物状、リボン状その他色々な形状のものが考えられる。「装飾用の組立部品」はアクセサリの要部を構成するものである。「装飾用の組立部品」の意義は、以下同様である。
【００１４】
請求項９記載のアクセサリキットは、請求項１から８いずれか一に記載のアクセサリキットにおいて、前記組立部品の前記突起に嵌合可能な凹部を持つ装飾用の組立部品を含むことを特徴とする。
【００１５】
請求項１０記載のアクセサリキットは、請求項１から９いずれか一に記載のアクセサリキットにおいて、前記組立部品の前記凹部に嵌合可能な突起とヘアピンを持つ組立部品を備えることを特徴とする。
【００１６】
前記請求項１から請求項１０記載のアクセサリキットによれば、それらをフレキシブルに連結することによって様々なアクセサリ玩具を形成することができる。
例えば、用いる組立部品にもよるが、それらをリング状の組立部品を連結してネックレス、腕輪、携帯電話のストラップ等を形成することができる。
【００１７】
【発明の実施の形態】
図１は本発明に係るアクセサリキットの組立部品を示す斜視図、図２はその組立部品を連結した状態を示した部分断面図、図３は携帯電話用のストラップの使用状態を示した斜視図、図４は他の組立部品を示す斜視図、図５は装飾用の組立部品の斜視図、図６はブレスレットの使用状態を示した斜視図、図６は本発明に係る組立部品を使用して形成した携帯電話のストラップ、図７はヘアピンを持つ組立部品の使用状態を示す斜視図、図８（ａ）〜（ｆ）は他の組立部品を示す斜視図である。
【００１８】
図１に示した組立部品Ａは、立方体の本体１を有し、その一側の面１ａに突起２を備え、その反対側の面１ｂに凹部３を形成したものである。この組立部品Ａはプラスチックによって形成されている。
【００１９】
このうち突起２は、図２に示したように、本体１の面１ａに立設された柱状部２ａを有し、その柱状部２の先端に略球形をなす球状部２ｂを持つ。
一方、凹部３は面１ｂに開口しており、開口近くに位置する断面が円形の筒状部３ａと、その筒状部の奥端に連設された略球状の中空部３ｂとから形成されている。この凹部３は前記球状部２と嵌合可能に形成されている。
【００２０】
実施形態のアクセサリキットは、このような組立部品Ａを多数備えている。
このアクセサリキットの使用の仕方を説明すれば、組立部品Ａを複数個用意し、図２に示したように、一方の組立部品Ａの突起２を他方の組立部品Ａの凹部３に嵌合することによって互いに結合する。この結合によって、組立部品Ａ、Ａは、一方の組立部品Ａの球状部２ｂが他方の組立部品Ａの中空部３ｂ内で回動自在に拘束される。なお、この実施形態では、凹部３が筒状部３ａと中空部３ｂとから形成されているが、筒状部３ａがあれば球状部２ｂを不完全ながら回動自在に拘束は可能であり、略球状の中空部３ｂは必須のものではない。
以上のようにして組立部品Ａを複数連結して鎖を作り、その両端の組立部品Ａ、Ａをも互いに結合することによってリング状のアクセサリ玩具を形成する。このアクセサリ玩具は、例えば、図３に示すような携帯電話のストラップ４として利用できる。
【００２１】
また、実施形態のアクセサリキットは図４に示す組立部品Ｂを備える。この組立部品Ｂは、組立部品Ａの本体１の他の面１ｃにさらに突起２を付加したものである。つまり、組立部品Ｂは２つの突起２と１つの凹部３を持つ。この組立部品Ｂはプラスチックによって形成されている。
【００２２】
さらに、実施形態のアクセサリキットは図５に示す組立部品Ｃを備える。この組立部品Ｃは、飾り用組立部品であって、錐台状の本体５の一の側面５ａと背面５ｂにそれぞれ凹部３を持つ。この組立部品Ｂはプラスチックその他粘土等によって形成されている。
【００２３】
そして、組立部品Ａ、Ｂ、Ｃを使用することで例えば図６に示すブレスレットを形成することができる。すなわち、組立部品Ａによって形成されたリングの一部に組立部品Ｂを介在させ、組立部品Ｂの突起２のうち余剰の突起２を組立部品Ｃの凹部３に嵌合することによりブレスレットを形成できる。
【００２４】
また、実施形態のアクセサリキットは図７に示す組立部品Ｄ、Ｅを備える。
【００２５】
このうち組立部品Ｄは、板状の本体７の一端７ａに弾性材料によって形成したクリップ（ピン）７を持ち、本体７の表面７ｂに突起２を立設したものである。一方、組立部品Ｅは、装飾組立部品であって、ハート型に形成した板状の本体９の背面９ａに凹部３を形成したものである。この組立部品Ｅは前記ブレスレットの飾りとしても使用できるものである。なお、組立部品Ｄの少なくとも本体７はプラスチックによって形成され、組立部品Ｅはプラスチックその他粘土等によって形成されている。
【００２６】
そして、この組立部品Ｄ、Ｅを使用し、組立部品Ｄの突起２に組立部品Ｅの凹部３を嵌合させることによってヘアーアクセサリ玩具が形成できる。
【００２７】
なお、前記実施形態の組立部品Ａ、Ｂは図８（ａ）に示すように本体１０が立方体となっていたが、その（ｂ）、（ｃ）に示すように、本体１０を直方体または柱状にしてもよく、また、（ｄ）に示すように本体１０を球状にしたり、（ｅ）、（ｆ）に示すように本体１０を円柱状にしてもよく、さらに、その他の適宜な形状にしてもよい。また突起２、凹部３の数は１つに限らず複数個にしてもよい。
【００２８】
また、組立部品を互いに連結して形成されるアクセサリは、上記実施の形態に示したものに限定されないことは言うまでもない。
【００２９】
例えば、前記組立部品は様々な色のものを用意しておくことが好ましい。また、透明、半透明のものも用意しておくことが好ましい。さらに、表面に文字や絵柄が施され、その文字や絵柄によっても装飾的効果を出せるようにしておくことが好ましい。
【００３０】
また、図９に示すように、例えばハート状の基板（組立部品）２０その他の形状の基板（組立部品）に多数の穴２０ａを設けておき、このうち任意の穴（凹部および孔を含む）２０ａに飾り用の組立部品（図示せず）の突起を嵌合してアクセサリを形成するようにしてもよい。なお、この場合の「飾り用の組立部品」としては突起だけを有する飾り部品であってもよい。ただし、基板２０には前記組立部品Ａ、Ｂや図８に示すような組立部品を嵌合できる凹部を設けておくことが好ましいが、多数の穴２０ａのうちの一部の穴を組立部品Ａ、Ｂや図８に示すような組立部品を嵌合できる凹部として使用してもよい。なお、ここでは基板２０に多数の穴２０ａを設けたが、基板２０に多数の突起を設け、この基板２０に取り付けられる組立部品（飾り用の組立部品、組立部品Ａ、Ｂや図８に示すような組立部品）側に穴（凹部および孔を含む）を設けてもよい。
【００３１】
【発明の効果】
本発明の代表的なものの効果を説明すれば、先端に球状部を有する突起と、前記突起を嵌合可能な凹部との双方を持つ多数の組立部品を備え、それらの組立部品のうちの複数の組立部品を前記突起と前記凹部との嵌合によってフレキシブルに連結させることによりアクセサリ玩具を組立可能となっているので、組立および一部交換が極めて容易となる。
【図面の簡単な説明】
【図１】本発明に係るアクセサリキットの組立部品を示した斜視図である。
【図２】図１に示した組立部品を互いに連結した状態を示した部分断面図である。
【図３】本発明に係る組立部品を使用して形成したブレスレット示した斜視図である。
【図４】本発明に係る他の形態の組立部品を示した斜視図である。
【図５】本発明に係る他の形態の組立部品を示したもので、飾りを施した組立部品の斜視図である。
【図６】本発明に係る組立部品を使用して形成した携帯電話のストラップを示した斜視図である。
【図７】本発明に係るアクセサリキットのさらに他の組立部品を示した斜視図である。
【図８】本発明に係るアクセサリキットの様々な組立部品の形状を示した斜視図である。
【図９】本発明に係るアクセサリキットのさらに他の組立部品を示した図である。
【符号の説明】
１      本体
２      突起
３      凹部
４      ストラップ
５      本体
６      ブレスレット
８      クリップ（ピン）
Ａ、Ｂ、Ｃ、Ｄ、Ｅ      組立部品
【図１】
2004222858.tif 000003
【図２】
2004222858.tif 000004
【図３】
2004222858.tif 000005
【図４】
2004222858.tif 000006
【図５】
2004222858.tif 000007
【図６】
2004222858.tif 000008
【図７】
2004222858.tif 000009
【図８】
2004222858.tif 000010
【図９】
2004222858.tif 000011